【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
複数の小型基地局が設置された特定の施設内に位置する者に情報を配信する情報配信システムに使用される制御装置であって、
各前記小型基地局ごとの情報を、当該情報に対応する小型基地局を介して、当該小型基地局のセル内に位置する者の携帯電話に向けて送信する通信処理部
を備える制御装置。
【請求項２】
前記情報には、前記施設内の案内情報が含まれる、請求項１に記載の制御装置。
【請求項３】
前記情報には、前記施設内の地図情報と、前記施設内における前記携帯電話の現在位置情報とが含まれる、請求項１又は２に記載の制御装置。
【請求項４】
前記情報には、前記施設内に位置する者が順行すべき順路情報がさらに含まれる、請求項３に記載の制御装置。
【請求項５】
特定の施設内に位置する者に情報を配信する情報配信システムであって、
前記施設内の複数の箇所に設置された複数の小型基地局を備え、
各前記小型基地局ごとの情報が、各前記小型基地局から、各前記小型基地局のセル内に位置する者の携帯電話に向けて配信される、情報配信システム。
【請求項６】
前記携帯電話に所定のアプリケーションソフトウェアがインストールされることにより、前記情報配信システムによる情報配信サービスを受けることが可能となり、
前記施設内において前記アプリケーションソフトウェアが実行されることにより、前記携帯電話の通信の接続先が、公衆網の基地局から前記小型基地局に強制的に切り替わる、請求項５に記載の情報配信システム。
【請求項７】
前記施設内に位置する前記携帯電話は、前記小型基地局を介して、公衆網と通信可能である、請求項５又は６に記載の情報配信システム。
【手続補正２】
【補正対象書類名】明細書
【補正対象項目名】発明の名称
【補正方法】変更
【補正の内容】
【発明の名称】制御装置及び情報配信システム
【手続補正３】
【補正対象書類名】明細書
【補正対象項目名】０００１
【補正方法】変更
【補正の内容】
【０００１】
本発明は、制御装置及び情報配信システムに関し、特に、複数の小型基地局を用いた情報配信システムに関する。
【手続補正４】
【補正対象書類名】明細書
【補正対象項目名】０００７
【補正方法】変更
【補正の内容】
【０００７】
本発明はかかる事情に鑑みて成されたものであり、施設から来訪者への機器の貸し出しを不要としつつ、各展示物等に対応した適切な説明を来訪者に提供することが可能な、制御装置及び情報配信システムを得ることを目的とするものである。
【手続補正５】
【補正対象書類名】明細書
【補正対象項目名】０００８
【補正方法】変更
【補正の内容】
【０００８】
本発明の第１の態様に係る制御装置は、複数の小型基地局が設置された特定の施設内に位置する者に情報を配信する情報配信システムに使用される制御装置であって、各前記小型基地局ごとの情報を、当該情報に対応する小型基地局を介して、当該小型基地局のセル内に位置する者の携帯電話に向けて送信する通信処理部を備えることを特徴とするものである。
【手続補正６】
【補正対象書類名】明細書
【補正対象項目名】０００９
【補正方法】変更
【補正の内容】
【０００９】
第１の態様に係る制御装置によれば、施設内の複数の箇所に複数の小型基地局が設置されており、各小型基地局ごとの情報が、各小型基地局から、各小型基地局のセル内に位置する者の携帯電話に向けて配信される。従って、各展示物等に対応させて小型基地局を設置し、各展示物等の説明を各小型基地局から配信することにより、施設への来訪者は、自ら持参した携帯電話を用いて、各展示物等の説明を受けることができる。その結果、施設から来訪者への機器の貸し出しを不要としつつ、各展示物等に対応した適切な説明を来訪者に提供することが可能となる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明の第２の態様に係る制御装置は、第１の態様に係る制御装置において特に、前記情報には、前記施設内の案内情報が含まれることを特徴とするものである。
【手続補正１２】
【補正対象書類名】明細書
【補正対象項目名】００１５
【補正方法】変更
【補正の内容】
【００１５】
第２の態様に係る制御装置によれば、美術館や博物館等の施設内において、来訪者は、自ら持参した携帯電話を用いて各展示物の説明を受けることができる。その結果、各展示物に対する理解が深まり、来訪者の満足度が高まることが期待できる。
【手続補正１３】
【補正対象書類名】明細書
【補正対象項目名】００１６
【補正方法】変更
【補正の内容】
【００１６】
本発明の第３の態様に係る制御装置は、第１又は第２の態様に係る制御装置において特に、前記情報には、前記施設内の地図情報と、前記施設内における前記携帯電話の現在位置情報とが含まれることを特徴とするものである。
【手続補正１４】
【補正対象書類名】明細書
【補正対象項目名】００１７
【補正方法】変更
【補正の内容】
【００１７】
第３の態様に係る制御装置によれば、施設内の地図情報や、施設内における来訪者の現在位置情報を携帯電話に提供することにより、来訪者の利便性を高めることが可能となる。例えば、来訪者は、提供された地図情報及び現在位置情報に基づき、目的とする展示物の展示場所まで速やかに移動することができる。
【手続補正１５】
【補正対象書類名】明細書
【補正対象項目名】００１８
【補正方法】変更
【補正の内容】
【００１８】
本発明の第４の態様に係る制御装置は、第３の態様に係る制御装置において特に、前記情報には、前記施設内に位置する者が順行すべき順路情報がさらに含まれることを特徴とするものである。
【手続補正１６】
【補正対象書類名】明細書
【補正対象項目名】００１９
【補正方法】変更
【補正の内容】
【００１９】
第４の態様に係る制御装置によれば、施設内における順路情報を携帯電話に提供することにより、施設内で来訪者が順路に迷うことがなくなるため、来訪者の利便性を高めることができる。
本発明の第５の態様に係る情報配信システムは、特定の施設内に位置する者に情報を配信する情報配信システムであって、前記施設内の複数の箇所に設置された複数の小型基地局を備え、各前記小型基地局ごとの情報が、各前記小型基地局から、各前記小型基地局のセル内に位置する者の携帯電話に向けて配信されることを特徴とするものである。
第５の態様に係る情報配信システムによれば、施設内の複数の箇所に複数の小型基地局が設置されており、各小型基地局ごとの情報が、各小型基地局から、各小型基地局のセル内に位置する者の携帯電話に向けて配信される。従って、各展示物等に対応させて小型基地局を設置し、各展示物等の説明を各小型基地局から配信することにより、施設への来訪者は、自ら持参した携帯電話を用いて、各展示物等の説明を受けることができる。その結果、施設から来訪者への機器の貸し出しを不要としつつ、各展示物等に対応した適切な説明を来訪者に提供することが可能となる。
本発明の第６の態様に係る情報配信システムは、第５の態様に係る情報配信システムにおいて特に、前記携帯電話に所定のアプリケーションソフトウェアがインストールされることにより、前記情報配信システムによる情報配信サービスを受けることが可能となり、前記施設内において前記アプリケーションソフトウェアが実行されることにより、前記携帯電話の通信の接続先が、公衆網の基地局から前記小型基地局に強制的に切り替わることを特徴とするものである。
第６の態様に係る情報配信システムによれば、施設が公衆網の基地局のセル内に含まれることにより、施設内に位置する携帯電話の通信の接続先の候補として、施設内の小型基地局のみならず公衆網の基地局が含まれる場合であっても、施設内に位置する携帯電話の通信の接続先を、公衆網の基地局ではなく施設内の小型基地局に確実に固定させることができる。従って、施設内の来訪者に対して、本発明に係る情報配信システムによる情報配信サービスを、確実に提供することが可能となる。
本発明の第７の態様に係る情報配信システムは、第５又は第６の態様に係る情報配信システムにおいて特に、前記施設内に位置する前記携帯電話は、前記小型基地局を介して、公衆網と通信可能であることを特徴とするものである。
第７の態様に係る情報配信システムによれば、携帯電話の通信の接続先が施設内の小型基地局に固定されている状況においても、施設内に位置する携帯電話は小型基地局を介して公衆網と通信可能であるため、施設内の来訪者は、自身の携帯電話を用いて、施設外の携帯電話等との間で通話や電子メールの送受信等を行うことが可能となる。